(57)【要約】【課題】高齢者に対して文字や観察対象物の色の彩度が低下して見えることを抑制することができる照明装置を提供する。【解決手段】照明装置１０は、同一色度範囲内の色度値を有する複数の第一発光素子５１および複数の第二発光素子５２と、複数の第一発光素子５１および複数の第二発光素子５２を個別に制御可能なモード切替部１４を有する制御回路１２とを備える。制御回路１２は、第一発光素子５１を点灯させる第一モードと、第一発光素子５１および第二発光素子５２を点灯させる第二モードと選択的に実行させる。そして、モード切替部１４は、第一モードと第二モードとを切換える。【選択図】図５
2018120755.tif 000002
【特許請求の範囲】
【請求項１】
同一色度範囲内の色度値を有する複数の第一発光素子および複数の第二発光素子と、
前記複数の第一発光素子および前記複数の第二発光素子を個別に制御可能なモード切替部を有する制御回路とを備え、
前記第一発光素子の分光分布は、４２５ｎｍ以上４８０ｎｍ以下の範囲に第一のピーク波長と、５００ｎｍ以上５６０ｎｍ以下の範囲に第二のピーク波長とを含み、
前記第二発光素子の分光分布は、４２５ｎｍ以上４８０ｎｍ以下の範囲に第一のピーク波長と、５００ｎｍ以上５６０ｎｍ以下の範囲に第二のピーク波長と、５８０ｎｍ以上６５０ｎｍ以下の範囲に第三のピーク波長とを含み、
前記第一発光素子と前記第二発光素子とが発した光の合成光の分光分布は、５００ｎｍ以上５６０ｎｍ以下の範囲の最大値と、５００ｎｍ以上６５０ｎｍ以下の範囲における最小値との比が０．８５以下であり、
前記制御回路は、前記第一発光素子を点灯させる第一モードと、前記第一発光素子および前記第二発光素子を点灯させる第二モードと選択的に実行させ、
前記モード切替部は、前記第一モードと前記第二モードとを切換える
照明装置。
【請求項２】
前記合成光の相関色温度は５５００Ｋ以上７１００Ｋ以下である
請求項１に記載の照明装置。
【請求項３】
さらに、相関色温度が２６００Ｋ以上５５００Ｋ以下となる複数の第三発光素子を備える
請求項２に記載の照明装置。
【請求項４】
前記第一発光素子は、前記第二モードで点灯する場合よりも前記第一モードで点灯する場合の方が明るく点灯する
請求項１〜３のいずれか１項に記載の照明装置。
【請求項５】
前記第二モードにおける当該照明装置の明るさは、前記第一モードにおける当該照明装置の明るさの１．１倍以上１．５倍以下となる
請求項１〜４のいずれか１項に記載の照明装置。
【請求項６】
前記第二モードにおける当該照明装置が照射する光の平均演色評価指数は、８６以上１００以下である
請求項１〜５のいずれか１項に記載の照明装置。
【請求項７】
前記第二モードにおける当該照明装置が照射する光の目立ち指数ＦＣＩ（Ｆｅｅｌｉｎｇ  ｏｆ  Ｃｏｎｔｒａｓｔ  Ｉｎｄｅｘ）は、９３以上１２０以下である
請求項１〜６のいずれか１項に記載の照明装置。
【請求項８】
前記第二モードにおける当該照明装置が照射する光において、Ｔｈｅ  ＣＩＥ  １９９７  Ｉｎｔｅｒｉｍ  Ｃｏｌｏｒ  Ａｐｐｅａｒａｎｃｅ  Ｍｏｄｅｌ（Ｓｉｍｐｌｅ  Ｖｅｒｓｉｏｎ）を用いて求められたクロマ値は、２．０以下である
請求項１〜７のいずれか１項に記載の照明装置。
【請求項９】
さらに、ユーザの年齢又は年代を設定する設定部を備え、
前記制御回路は、前記設定部で設定されたユーザの年齢又は年代に比例して第二発光素子の発光量を高くする
請求項１〜８のいずれか１項に記載の照明装置。
【発明の詳細な説明】
【技術分野】
【０００１】
本発明は、照明装置に関し、特に加齢に伴う視機能変化を補正するための照明装置に関する。
【背景技術】
【０００２】
高齢化社会の到来により高齢者（中年期以降の世代とする。）にとって快適な環境の構築が強く求められている。その中でも照明による視環境の整備は急務である。このため、加齢による人間の視覚系の変化をどのように照明で補正するかを明確にする必要がある。加齢による主な視機能変化としては、（ａ）水晶体の透過率の低下、特に短波長域での透過率の低下と、（ｂ）白内障（水晶体の白濁化）による視界のかすみ（眼球内散乱）などがある。
【０００３】
（ａ）に関しては、特許文献１に記載されるように、水晶体透過率が低下する波長域の光を増強、いわゆる高色温度にすることにより、網膜上に青色光の到達率を高める照明が高齢者用として推奨されている。
【０００４】
また、（ｂ）も考慮するべく、特許文献２に記載されるように、青色光の成分を増強させる方式もある。特許文献２では、主に眩しさ感への影響が強い波長域（４７０ｎｍ以上、５３０ｎｍ以下）を低減することにより、眩しさを抑えてコントラスト感度、明度および彩度を高く感じる効果を付加した照明が推奨されている。
【０００５】
同様に、（ｂ）を考慮するべく、特許文献３に記載されるように、周辺光による眼球内散乱を低下させるために、可変色ウォールの調整をする方式もある。
【先行技術文献】
【特許文献】
【０００６】
【特許文献１】特開２００３−２３７４６４号公報
【特許文献２】特開平４−１３７３０５号公報
【特許文献３】特開２００５−３０２５００号公報
【発明の概要】
【発明が解決しようとする課題】
【０００７】
ここで、高齢者が視作業をするために必要な明るさは若年齢者の２〜５倍とも言われているため、高齢者に眩しさを感じさせること無く、かつ、色の鮮やかさを高く感じさせることができる照明装置が求められている。
【０００８】
そこで、本発明は、高齢者に対して文字や観察対象物の色の彩度が低下して見えることを抑制することができる照明装置を提供することを目的とする。
【課題を解決するための手段】
【０００９】
上記目的を達成するため、本発明の一態様に係る照明装置は、同一色度範囲内の色度値を有する複数の第一発光素子および複数の第二発光素子と、前記複数の第一発光素子および前記複数の第二発光素子を個別に制御可能なモード切替部を有する制御回路とを備え、前記第一発光素子の分光分布は、４２５ｎｍ以上４８０ｎｍ以下の範囲に第一のピーク波長と、５００ｎｍ以上５６０ｎｍ以下の範囲に第二のピーク波長とを含み、前記第二発光素子の分光分布は、４２５ｎｍ以上４８０ｎｍ以下の範囲に第一のピーク波長と、５００ｎｍ以上５６０ｎｍ以下の範囲に第二のピーク波長と、５８０ｎｍ以上６５０ｎｍ以下の範囲に第三のピーク波長とを含み、前記第一発光素子と前記第二発光素子とが発した光の合成光の分光分布は、５００ｎｍ以上５６０ｎｍ以下の範囲の最大値と、５００ｎｍ以上６５０ｎｍ以下の範囲における最小値との比が０．８５以下であり、前記制御回路は、前記第一発光素子を点灯させる第一モードと、前記第一発光素子および前記第二発光素子を点灯させる第二モードとを選択的に実行させ、前記モード切替部は、前記第一モードと前記第二モードとを切換える。
【発明の効果】
【００１０】
本発明によれば、高齢者に対して文字や観察対象物の色の彩度が低下して見えることを抑制することができる。
【図面の簡単な説明】
【００１１】
【図１】図１は、実施の形態に係る照明装置を示す斜視図である。
【図２】図２は、実施の形態に係る照明装置を示す分解斜視図である。
【図３】図３は、実施の形態に係る第一発光素子および第二発光素子のそれぞれの分光特性の一例を示すグラフである。
【図４】図４は、実施の形態に係る第一発光素子、第二発光素子および第三発光素子の配置レイアウトの一例を示す模式図である。
【図５】図５は、実施の形態に係る照明装置を示すブロック図である。
【図６】図６は、実施の形態に係る第一発光素子および第二発光素子の個数比を変更し、各個数比における合成光の分光分布を示すグラフである。
【図７】図７は、実施の形態に係る各個数比の分光分布であって、第二値での相対強度を１とした場合の、第一値および第三値での相対強度比を示すグラフである。
【図８】図８は、実施の形態に係る第一発光素子、第二発光素子および第三発光素子の各個数比における照明装置全体の各光特性を示す表である。
【図９】図９は、図８における効率比率およびＦＣＩ比率と、第一発光素子および第二発光素子の個数比との関係を示すグラフである。
【図１０】図１０の（ａ）は、検証実験における、ＴＥＳＴ１〜３の各光特性を示す表である。図１０の（ｂ）は、図１０の（ａ）のＴＥＳＴ１〜３における合成光の分光分布を示すグラフである。図１０の（ｃ）は、ＴＥＳＴ１〜３で用いる各々の分光分布に対する、被験者の正答率を示すグラフである。
【図１１】図１１の（ａ）は、ＴＥＳＴ１〜３で用いる各々の分光分布に対する、壮年期の被験者の正答率を示すグラフである。図１１の（ｂ）は、ＴＥＳＴ１〜３で用いる各々の分光分布に対する、中年期および高年期の被験者の正答率を示すグラフである。
【図１２】図１２の（ａ）は、検証実験により求めたコントラスト感度における照度と正答率との関係を示すグラフである。図１２の（ｂ）は、４種類の空間周波数を示す図である。
【図１３】図１３は、検証実験により求めた照度に対する文字の読みやすさにおける主観評価を示すグラフである。
【図１４】図１４は、検証実験により求めたコントラスト感度における年代別の正答数と空間周波数との関係を示すグラフである。
【図１５】図１５は、検証実験により求めたコントラスト感度における正答数と年代と関係を示すグラフである。
【図１６】図１６の（ａ）は、検証実験における、第一モードおよび第二モードの各光特性を示す表である。図１６の（ｂ）は、図１６の（ａ）の第一モードおよび第二モードにおける合成光の分光分布を示すグラフである。図１６の（ｃ）は、第一モードおよび第二モードに対する、被験者の正答率を示すグラフである。
【図１７】図１７の（ａ）は、検証実験により求めた近見視力表における視力レベル０．５での第一モードおよび第二モードの正答率を示すグラフである。図１７の（ｂ）は、検証実験に用いた近見視力表（コントラスト６％）を示す図である。図１７（ｃ）は、各視力レベルでの正答率算出式を示す図である。
【発明を実施するための形態】
【００１２】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１３】
なお、各図は、模式図であり、必ずしも厳密に図示されたものではない。また、各図において、実質的に同一の構成に対しては同一の符号を付しており、重複する説明は省略又は簡略化する。
【００１４】
以下、本発明の実施の形態に係る照明装置について説明する。
【００１５】
（実施の形態）
［構成］
まず、本実施の形態に係る照明装置１０の構成について図１および図２を用いて説明する。
【００１６】
図１は、本実施の形態に係る照明装置１０を示す斜視図である。図２は、本実施の形態に係る照明装置１０を示す分解斜視図である。
【００１７】
図１および図２に示すように、照明装置１０は、器具本体２０と、カバー３０と、発光部４０とを備えている。照明装置１０は、例えば住宅などの建物の天井に設けられている引っ掛けシーリングボディ１に対して着脱自在に取り付けられる。
【００１８】
器具本体２０は、カバー３０と、発光部４０とを支持するための筐体である。器具本体２０は、中央部分に円形状の開口部２１を有するリング状に形成されている。この開口部２１を介して引っ掛けシーリングボディ１が発光部４０と接続される。
【００１９】
なお、器具本体２０は、例えばアルミニウム板又は鋼板などの板金をプレス加工することによって上述した形状に成形される。器具本体２０の一方側の面である内面（床面側の面）には、反射性を高めて光取り出し効率を向上させるために、白色塗料が塗布、又は、反射性金属材料が蒸着されている。
【００２０】
カバー３０は、器具本体２０の内面全体を覆うための外カバーであり、器具本体２０に着脱自在に取り付けられている。すなわち、発光部４０は、カバー３０の内側に配置されている。カバー３０は、円形状のドーム状に形成されている。カバー３０は、透光性を有する樹脂材料、例えばアクリル（ＰＭＭＡ）、ポリカーボネート（ＰＣ）、ポリエチレンテレフタレート（ＰＥＴ）又はポリ塩化ビニル（ＰＶＣ）などで形成されている。これにより、発光部４０からカバー３０の内面に向けて出射した光は、カバー３０を透過してカバー３０の外部に取り出される。なお、カバー３０を例えば乳白色の樹脂材料で形成することにより、カバー３０に光拡散性を持たせてもよい。
【００２１】
発光部４０は、例えば白色光を発するための光源である。具体的には、発光部４０は、基板４１と、基板４１の実装面（床側の面）に実装された複数の発光素子５０とを有する。
【００２２】
基板４１は、複数の発光素子５０を実装するためのプリント配線基板であり、中央部分に円形状の開口部４２を有するリング状に形成されている。基板４１には、複数の発光素子５０を実装するための、配線パターン（図示省略）が形成されている。配線パターンは、複数の発光素子５０と、回路部（定電力出力回路１１および制御回路１２など：図５参照）とを電気的に接続することにより、回路部からの直流電流を複数の発光素子５０の各々に供給するための配線パターンである。
【００２３】
複数の発光素子５０は、基板４１に対して多重のリング状となるように配列されている。複数の発光素子５０の各々は、例えば、パッケージ化された表面実装（ＳＭＤ：Ｓｕｒｆａｃｅ  Ｍｏｕｎｔ  Ｄｅｖｉｃｅ）型の白色ＬＥＤ素子である。なお、基板４１上にＬＥＤチップが直接的に実装されたＣＯＢ（Ｃｈｉｐ  Ｏｎ  Ｂｏａｒｄ）型のモジュールが用いられてもよい。
【００２４】
複数の発光素子５０は、複数の第一発光素子５１、複数の第二発光素子５２および複数の第三発光素子５３を含んでいる。
【００２５】
第一発光素子５１および第二発光素子５２は、同一色度範囲内の色度値を有する発光素子である。ここで、「同一色度範囲」とは、ＪＩＳ  Ｚ９１１２−２０１２『蛍光ランプ・ＬＥＤの光源色および演色性による区分』で規格化されている各光源色（昼光色、昼白色、白色、温白色、電球色）の色度範囲である。例えば、第一発光素子５１が昼光色の色度範囲に収まっている発光素子であれば、第二発光素子５２も昼光色の色度範囲に収まっている発光素子となる。
【００２６】
第一発光素子５１および第二発光素子５２における合成光の相関色温度は、５５００Ｋ以上７１００Ｋ以下である。特に、第一発光素子５１および第二発光素子５２における合成光の相関色温度は、５８００Ｋ以上であることが好ましい。
【００２７】
第三発光素子５３における相関色温度は、２６００Ｋ以上５５００Ｋ以下である。第三発光素子５３は、第一発光素子５１および第二発光素子５２のそれぞれの色温度よりも低色温度となっている。
【００２８】
次に、第一発光素子５１および第二発光素子５２の分光特性について、図３を用いて説明する。
【００２９】
図３は、本実施の形態に係る第一発光素子５１および第二発光素子５２のそれぞれの分光特性の一例を示すグラフである。
【００３０】
図３に示すように、第一発光素子５１は、４２５ｎｍ以上４８０ｎｍ以下の範囲に第一のピーク波長と、５００ｎｍ以上５６０ｎｍ以下の範囲に第二のピーク波長とを含む分光分布となる発光素子である。第二発光素子５２は、４２５ｎｍ以上４８０ｎｍ以下の範囲に第一のピーク波長と、５００ｎｍ以上５６０ｎｍ以下の範囲に第二のピーク波長と、５８０ｎｍ以上６５０ｎｍ以下の範囲に第三のピーク波長とを含む分光分布を有する発光素子である。
【００３１】
第一発光素子５１および第二発光素子５２を比較すると、第一発光素子５１の方が第二発光素子５２よりも発光効率を重視した分光特性となっている。また、第二発光素子５２の方が第一発光素子５１よりも演色性を重視した分光特性となっている。
【００３２】
ここで、図３において、第二発光素子５２の分光特性における第二のピーク波長での極大値を第二値Ｘ２とし、第二値Ｘ２よりも負側の極小値を第一値Ｘ１とし、第二値Ｘ２よりも正側の極小値を第三値Ｘ３とする。この図３の例では、第一値Ｘ１は４８０ｎｍであり、第二値Ｘ２は５２０ｎｍであり、第三値Ｘ３は５７０ｎｍである。
【００３３】
次に、第一発光素子５１、第二発光素子５２および第三発光素子５３の配置レイアウトについて、図４を用いて説明する。なお、第一発光素子５１、第二発光素子５２および第三発光素子５３のレイアウトは任意に変えることができてもよく、図４のレイアウトに限定されない。
【００３４】
図４は、本実施の形態に係る第一発光素子５１、第二発光素子５２および第三発光素子５３の配置レイアウトの一例を示す模式図である。このため、図４は模式図であるため、必ずしも図２と整合している訳ではない。
【００３５】
図４に示すように、複数の発光素子５０は、基板４１上に４重の輪をなすように配列されている。ここで、最内周の輪は、４個の第一発光素子５１および４個の第二発光素子５２によって形成され、これらが周方向で等間隔となるように配列されている。最内周の輪に隣接する第一の中段の輪は、８個の第一発光素子５１と、８個の第二発光素子５２とによって形成され、これらが周方向で等間隔となるように配列されている。第一の中段の輪に隣接する第二の中段の輪は、８個の第一発光素子５１と、８個の第二発光素子５２と、８個の第三発光素子５３とによって形成され、これらが周方向で等間隔となるように配列されている。最外周の輪は、１６個の第一発光素子５１と、１６個の第三発光素子５３とによって形成され、これらが周方向で等間隔となるように配列されている。
【００３６】
次に、照明装置１０のブロック図について、図５を用いて説明する。
【００３７】
図５は、本実施の形態に係る照明装置１０を示すブロック図である。
【００３８】
図５に示すように、照明装置１０は、定電力出力回路１１と、制御回路１２とを備えている。
【００３９】
定電力出力回路１１は、各発光素子５０に対して定電力を付与するための回路である。
【００４０】
制御回路１２は、例えば、図示しない点灯スイッチがＯＮされたことにより、点灯用の外部信号（後述する外部信号１）が入力されると、定電力出力回路１１を制御して、各発光素子５０を点灯する回路である。
【００４１】
制御回路１２には、２つの外部信号が入力される。一方の外部信号（外部信号１）を点灯用の信号として、他方の外部信号（外部信号２）を観察者の年齢又は年代を示す情報を含んだ信号とする。他方の外部信号を制御回路１２に入力（設定）する設定部１３は、ユーザから年齢又は年代が入力されると、当該年齢又は年代を示す情報を含んだ外部信号を作成し制御回路１２に入力する。
【００４２】
制御回路１２は、複数の第一発光素子５１および複数の第二発光素子５２を個別に制御可能なモード切替部１４を有する。なお、本実施の形態では、モード切替部１４が制御回路１２内に設けられているが、制御回路１２とは別体であってもよい。
【００４３】
制御回路１２は、設定部１３で設定されたユーザの年齢又は年代に比例して第二発光素子５２の発光量を高くする制御を行う。つまり、モード切替部１４は、例えばユーザの年齢又は年代を示す情報を含んだ信号を設定部１３から受信すると、ユーザの年齢又は年代に応じて、後述する第一モードと第二モードとを切換える。制御回路１２は、第一発光素子５１を点灯させる第一モードと、第一発光素子５１および第二発光素子５２を点灯させる第二モードと選択的に実行させる。第一モードおよび第二モードを総称してモードと呼ぶ。
【００４４】
第一モードは、一般的な照明がされる通常の点灯を行うモードである。第二モードは、高齢者に対して色知覚確率を高めることが可能な点灯であり、第一モードに比べ、文字の読みやすさを高めつつ、忠実に色を再現するモードである。制御回路１２は、第一モードで点灯した場合よりも、第二モードで点灯した場合の方が明るく点灯させる。ここで、明るさは、照度に限定されず、光束を意味する。
【００４５】
モード切替部１４が第一モードに切換えた場合、制御回路１２は、主に第一発光素子５１を点灯させる。また、モード切替部１４が第二モードに切換えた場合、制御回路１２は、少なくとも第一発光素子５１および第二発光素子５２を点灯させる。但し、制御回路１２は、第二発光素子５２および第三発光素子５３が第一モードで点灯させる場合よりも、第二発光素子５２および第三発光素子５３が第二モードで点灯させる場合の方が明るく点灯させるように制御する。
【００４６】
なお、第一モードでは、第一発光素子５１および第三発光素子５３のいずれかのみが点灯していてもよい。
【００４７】
複数の発光素子５０は、複数組に組分けされており、各組の発光素子５０のそれぞれが異なる系統で、定電力出力回路１１に電気的に接続されている。具体的には、複数個の第一発光素子５１からなる組が全部で４組設けられ、複数個の第二発光素子５２からなる組が全部で４組設けられ、複数個の第三発光素子５３からなる組が全部で４組設けられている。そして、複数個の第一発光素子５１、複数個の第二発光素子５２および複数個の第三発光素子５３では、各組が直列に電気的に接続されている。そして、４組ごとに３つに分類して、第一発光素子５１で構成される装置を第一発光モジュール６１とし、第二発光素子５２で構成される装置を第二発光モジュール６２とし、第三発光素子５３で構成される装置を第三発光モジュール６３とすると、第一発光モジュール６１、第二発光モジュール６２および第三発光モジュール６３が定電力出力回路１１に対してそれぞれが異なる系統で、電気的に接続されている。
【００４８】
これにより、制御回路１２は、定電力出力回路１１を制御することによって、第一発光素子５１、第二発光素子５２および第三発光素子５３を異なる電流値で制御する。したがって、照明装置１０全体の光色を調整する。
【００４９】
なお、照明装置１０全体の光色を調整しない場合は、所定の光色となる組み合わせでの第一発光素子５１と、第二発光素子５２と、第三発光素子５３とが同一回路に配置され、これらを同一電流値で制御してもよい。
【００５０】
［合成光］
次に、第一発光素子５１および第二発光素子５２がそれぞれ発した光の合成光について説明する。
【００５１】
図６は、本実施の形態に係る第一発光素子５１および第二発光素子５２の個数比を変更し、各個数比における合成光の分光分布を示すグラフである。図６は、第二モードでの、各個数比における合成光の分光分布（波長と相対強度との関係）を示す。
【００５２】
図６では、第一発光素子５１と第二発光素子５２との個数比が、２：１の場合、１：１の場合、１：２の場合、１：３の場合、１：４の場合および１：５の場合の各合成光の分光分布を示している。
【００５３】
次に、この結果を基に、各個数比の分光分布であって、第二値Ｘ２での相対強度を１とした場合の、第一値Ｘ１および第三値Ｘ３それぞれでの相対強度の比率（相対強度比）を求めた。
【００５４】
図７は、本実施の形態に係る各個数比の分光分布であって、第二値Ｘ２での相対強度を１とした場合の、第一値Ｘ１および第三値Ｘ３での相対強度比を示すグラフである。
【００５５】
図７に示すように、いずれの分光分布においても、第一値Ｘ１での相対強度比は大きく変動していないが、第二発光素子５２の個数割合が高くなるほど第三値Ｘ３での相対強度比が低くなっていることが分かる。
【００５６】
また、第一発光素子５１と第二発光素子５２との個数比における第二発光素子５２の個数割合が、第一発光素子５１と第二発光素子５２との個数比２：１の場合と同等以上であるときには、第二値Ｘ２での相対強度を１とした場合の第三値Ｘ３の相対強度比は、いずれの場合も０．８５以下であることが分かる。すなわち、第一発光素子５１と第二発光素子５２とが発した光の合成光の分光分布は、５００ｎｍ以上５６０ｎｍ以下の範囲の最大値（第二値Ｘ２での相対強度）と、５００ｎｍ以上６５０ｎｍ以下の範囲における最小値（第三値Ｘ３での相対強度）との比が０．８５以下であれば、高齢者の色知覚確率をある程度確保することができる。
【００５７】
図８は、本実施の形態に係る第一発光素子５１、第二発光素子５２および第三発光素子５３の各個数比における照明装置１０全体の各光特性を示す表である。
【００５８】
図８に示すように、照明装置１０全体の各光特性とは、複数の第一発光素子５１、複数の第二発光素子５２および複数の第三発光素子５３のそれぞれが発する光の合成光の各光特性である。図８からも分かるように、第三発光素子５３を除き、いずれの個数比においても、第一発光素子５１および第二発光素子５２における合成光の相関色温度は、５５００Ｋ以上７１００Ｋ以下である。また、第三発光素子５３においても、相関色温度が２６００Ｋ以上５５００Ｋ以下である。
【００５９】
ここで、ＦＣＩ（Ｆｅｅｌｉｎｇ  ｏｆ  Ｃｏｎｔｒａｓｔ  Ｉｎｄｅｘ）は、いわゆる目立ち指数であり、例えば特開平９−１２０７９７号公報等にて提案されている指数である。具体的には、ＦＣＩは、色の見えによる標準光Ｄ６５に対して感じられる明るさ感の比率を示している。図８からも分かるように、いずれの個数比においても、第二モードにおける照明装置１０が照射する光の目立ち指数ＦＣＩが９３以上１２０以下である。特に、第二モードでは、第一発光素子５１と第二発光素子５２との個数比が１：１の場合にＦＣＩが９９であるため、ＦＣＩが９９以上であることが好ましい。また、ＦＣＩが１２０を超えると違和感を与えるとの報告があるため、ＦＣＩに上限を設けている。
【００６０】
第二モードにおける照明装置１０が照射する光の平均演色評価指数Ｒａは、８６以上１００以下である。平均演色評価指数Ｒａは、忠実な色の再現性を評価する指標であり、ＪＩＳ  Ｚ９１１２「蛍光ランプの光源色および演色性による区分」においてその指標の目安が示されている。より好ましくは、第二モードでは、平均演色評価指数Ｒａが９０以上であることが好ましい。図８からも分かるように、第二モードでは、いずれの個数比においても、平均演色評価指数Ｒａが８６以上１００以下である。
【００６１】
第二モードにおける照明装置１０が照射する光において、Ｔｈｅ  ＣＩＥ  １９９７  Ｉｎｔｅｒｉｍ  Ｃｏｌｏｒ  Ａｐｐｅａｒａｎｃｅ  Ｍｏｄｅｌ（Ｓｉｍｐｌｅ  Ｖｅｒｓｉｏｎ）を用いて求められたクロマ値は、２．０以下である。クロマ値は、視対象物の白さ感を定量的に評価できる指標であり、クロマ値が高いと色みが強く、低いと色みが弱いことを意味し、例えば特開２０１４−７５１８６号公報等にて開示されている指数である。すなわちクロマ値が低いということは白さ感が高いということである。図８からも分かるように、第二モードでは、いずれの個数比においても、クロマ値が２．０以下となった。
【００６２】
図９は、図８における効率比率およびＦＣＩ比率と、第一発光素子５１および第二発光素子５２の個数割合との関係を示すグラフである。
【００６３】
ここで、効率比率においては、第一発光素子５１のみの場合の発光効率を１００％として、その他の場合の発光効率から相対的に求めている。他方、ＦＣＩ比率においては、第二発光素子５２のみの場合のＦＣＩを１００％として、その他の場合のＦＣＩから相対的に求めている。
【００６４】
ここで、個数割合とは、発光素子５０全体の設置個数に対する、第一発光素子５１の設置個数の割合である。図９において、例えば、個数割合が「０」の場合から順に見ると、個数割合が「０」では、第二発光素子５２のみが設置される場合であり、効率比率が７５％、ＦＣＩ比率が１００％である。次に、個数比が１：５の場合では、個数割合が「０．１７」、効率比率が７９％、ＦＣＩ比率が９７％である。次に、個数比が１：４の場合では、個数割合が「０．２０」、効率比率が８０％、ＦＣＩ比率が９６％である。次に、個数比が１：３の場合では、個数割合が「０．２５」、効率比率が８１％、ＦＣＩ比率が９５％である。次に、個数比が１：２の場合では、個数割合が「０．３３」、効率比率が８３％、ＦＣＩ比率が９３％である。次に、個数比が１：１の場合では、個数割合が「０．５」、効率比率が８８％、ＦＣＩ比率が９０％である。次に、個数比が２：１の場合では、個数割合が「０．６７」、効率比率が９２％、ＦＣＩ比率が９０％である。個数割合が「１」では、第一発光素子５１のみが設置される場合であり、効率比率が１００％、ＦＣＩ比率が８２％である。
【００６５】
［検証実験］
本発明者は、観察者による見え方にＦＣＩ比率がどのように影響するか実験にて検証した。
【００６６】
図１０の（ａ）は、検証実験における、ＴＥＳＴ１〜３の各光特性を示す表である。
【００６７】
図１０の（ａ）に示すように、ＴＥＳＴ１は、相関色温度が約５０００Ｋの汎用の装置を用いた実験結果である。ＴＥＳＴ２は、相関色温度が約６２００Ｋの汎用の装置を用いた実験結果である。ＴＥＳＴ３は、本実施の形態に係る第一発光素子５１：第二発光素子５２＝１：２（個数比）で相関色温度が約６２００Ｋの装置を用いた実験結果である。
【００６８】
図１０の（ｂ）は、図１０の（ａ）のＴＥＳＴ１〜３における合成光の分光分布を示すグラフである。図１０の（ｂ）は、ＴＥＳＴ１〜３で用いる各々の分光分布である。
【００６９】
図１０の（ｃ）は、ＴＥＳＴ１〜３で用いる各々の分光分布に対する、被験者の正答率を示すグラフである。図１０の（ｃ）では、ＴＥＳＴ１〜３における相関色温度ごとの光を用いて、被験者の正答率を表した。
【００７０】
被験者は、２９歳から３９歳までの壮年期における男性３名および女性４名、４５歳から６４歳までの中年期における男性３名および女性４名、６５歳から６９歳までの高年期における男性７名および女性７名の総計２８名である。壮年期の平均年齢は３４歳であり、中年期の平均年齢は５４歳であり、高年期の平均年齢は６７歳である。
【００７１】
図１０の（ｃ）に示すように、本検証実験では、赤色の色票および緑色の色票により、各色票の彩度差を０．５として、壮年期、中年期および高年期の３つの組における正答率の結果を得た。この結果から、ＴＥＳＴ３の相関色温度が最も正答率が高いという結果を得た。また、ＴＥＳＴ１、２における各々の相関色温度では、色票が赤色では正答率において大きな違いは見られず、色票が緑色の場合ではＴＥＳＴ１の相関色温度の方がＴＥＳＴ２の相関色温度よりも正答率がわずかに高くなった。ＴＥＳＴ１〜３における全ての相関色温度において、赤色の色票が緑色の色票よりも正答率が高いという結果を得た。ＴＥＳＴ３の相関色温度では、色票が赤色の場合では色票が緑色の場合よりも非常に高い正答率となった。これらのことから、赤色および緑色の色票でも、ＴＥＳＴ１、２では正答率が２０％程度であったが、第二モードにおいて、赤色の色票では正答率が８０％以上となり、緑色の色票では正答率が５０％以上となる結果を得た。
【００７２】
この結果から、本実施の形態の一例であるＴＥＳＴ３では、鮮やかに見えるようになった結果、有意に正答率が高まっていることが判った。ＴＥＳＴ１〜３のうち、図１０の（ａ）のＴＥＳＴ３だけがＦＣＩが９９以上であり、かつ、クロマ値が２．０以下という条件を満たしている。
【００７３】
また、ＴＥＳＴ１で照射する光の平均演色評価指数Ｒａが８５であるため、本実施の形態に係る第二モードにおける照明装置１０が照射する光の平均演色評価指数Ｒａを、８６から上限の１００までとした。
【００７４】
また、ＴＥＳＴ２で照射する光のＦＣＩが９２であるため、本実施の形態に係る第二モードにおける照明装置１０が照射する光のＦＣＩを、９３以上１２０以下とした。
【００７５】
次に、本発明者は、被験者の壮年期、中年期および高年期の正答数に関するコントラスト感度の検査を行った。図１１は、図１０と同等の条件で検証実験を行っているため、同一の条件については詳細な説明を省略する。
【００７６】
図１１の（ａ）は、ＴＥＳＴ１〜３で用いる各々の分光分布に対する、壮年期の被験者の正答率を示すグラフである。図１１の（ａ）では、図１０のＴＥＳＴ１〜３と同様の各々の相関色温度の光を用いて、被験者が壮年期である場合の正答率を表した。
【００７７】
壮年期の被験者では赤色の色票については、どの相関色温度においても正答率に大きな差異が見られなかった。一方、緑色の色票については、ＴＥＳＴ１の相関色温度について、正答率が低下し、ＴＥＳＴ２、３の相関色温度については、正答率がＴＥＳＴ１の２倍近い正答率となった。
【００７８】
図１１の（ｂ）は、ＴＥＳＴ１〜３で用いる各々の分光分布に対する、中年期および高年期の被験者の正答率を示すグラフである。図１１の（ｂ）では、図１０のＴＥＳＴ１〜３における相関色温度ごとの光を用いて、被験者が中年期および高年期である場合の正答率を表した。中年期および高年期の人数が２１名であり、その平均年齢が６３歳である。
【００７９】
中年期および高年期の被験者では、ＴＥＳＴ１、２のいずれの相関色温度においても、赤色および緑色の色票についての正答率が２０％以下であるという結果を得た。
【００８０】
一方、ＴＥＳＴ３における相関色温度では、赤色の色票についてＴＥＳＴ１、２よりも高い正答率８０％以上であり、壮年期の被験者の正答率を超える結果となった。また、ＴＥＳＴ３における相関色温度では、緑色の色票についてＴＥＳＴ１、２よりも高い正答率５０％以上であり、壮年期の被験者の正答率と同等の結果を得た。
【００８１】
このことから、本実施の形態の一例であるＴＥＳＴ３では、中年期および高年期である被験者が鮮やかに見えるようになった結果、正答率が高まったことが判る。
【００８２】
次に、図１２では、本発明者は、被験者のコントラスト感度および照度に対する文字の読みやすさに関する主観評価を行った。
【００８３】
図１２の（ａ）は、検証実験により求めたコントラスト感度における照度と正答率との関係を示すグラフである。図１２の（ｂ）は、４種類の空間周波数を示す図である。
【００８４】
被験者は、中年期および高年期の計１６名とした。本検証実験では、光の相関色温度を６０００Ｋとし、照度を３００ｌｘから１０００ｌｘまでの範囲での被験者の正答率を実験した。ここで、第一モードでの通常の照度を５００ｌｘとし、第二モードでの照度は５００ｌｘよりも高い照度としている。
【００８５】
コントラスト感度は、被験者からの検証実験により得た。コントラスト感度の検証実験では、空間周波数３ｃｐｄ、６ｃｐｄ、１２ｃｐｄ、１８ｃｐｄの各々の正答率を実験した。空間周波数は、視野角の単位角度（視野角１度）の範囲に見える縞模様の数を表す。例えば、３ｃｐｄは、視野角１度の範囲に、白線と黒線のペアが３ペア見えることを意味する。
【００８６】
ここで、図１２の（ａ）及び図１２の（ｂ）に示すように、正答率は、３００ｌｘ、５００ｌｘ、６００ｌｘ、７５０ｌｘ、１０００ｌの各照度における、空間周波数３ｃｐｄ、６ｃｐｄ、１２ｃｐｄ、１８ｃｐｄの各正答率を、各照度ごとに平均化した結果である。例えば照度３００ｌｘおよび空間周波数３ｃｐｄの場合に、正否を問う５つの項目における正答率を導き、これを他の空間周波数６ｃｐｄ、１２ｃｐｄ、１８ｃｐｄについても同様に正答率を導き、４つの空間周波数の各正答率の平均値から照度の正答率を算出する。この照度の正答率を他の照度（５００ｌｘ、６００ｌｘ、７５０ｌｘ、１０００ｌ）についても算出した。
【００８７】
照度が３００ｌｘ、５００ｌｘ、６００ｌｘ、７５０ｌｘでは、照度の増加とともに正答率が上昇しているが、照度が１０００ｌｘでは、照度が７５０ｌｘの場合とさほど正答率が変化していないことが判る。
【００８８】
図１３は、検証実験により求めた照度に対する文字の読みやすさにおける主観評価を示すグラフである。
【００８９】
文字の読みやすさは、被験者からの主観評価により得た。読みやすさの主観評価は、「非常に読みやすい」を３点、「かなり読みやすい」を２点、「やや読みやすい」を１点、「どちらでもない」を０点、「やや読みにくい」−１点、「かなり読みにくい」−２点、「非常に読みにくい」−３点とする、７段階の評価項目に基づいて行った。そして、この評価項目に対応する点数が評価値となる。
【００９０】
図１３に示すように、文字の読みやすさの評価値は、例えば照度３００ｌｘでは、空間周波数３ｃｐｄ、６ｃｐｄ、１２ｃｐｄ、１８ｃｐｄごとの各評価値を導き、４つの空間周波数の各評価値から導かれた平均値から得る。また、他の５００ｌｘ、６００ｌｘ、７５０ｌｘ、１０００ｌの各照度においても同様に、４つの空間周波数の各評価値から導かれた平均値から文字の読みやすさの評価値を得る。
【００９１】
照度が３００ｌｘ、５００ｌｘ、６００ｌｘ、７５０ｌｘの間では、照度の増加とともに被験者の読みやすさが上昇しているが、照度が１０００ｌｘでは、照度が７５０ｌｘの場合とさほど被験者の読みやすさが変化していないことが判る。つまり、明るくし過ぎても、照明による電力消費が増加るすばかりで、被験者の読みやすさはさほど向上しない。
【００９２】
この結果から、第一モードにおける照度５００ｌｘを基準とした場合に、照度５００ｌｘから７５０ｌｘまでの間で文字の読み易さが向上することが判る。この照度により導いた結果から、第二モードの明るさを、第一モードの明るさの１．１倍以上１．５倍以下にすれば、文字が読み易くなる。
【００９３】
次に、本発明者は、被験者の年代別ごとの正答数に関するコントラスト感度の検査を行った。
【００９４】
被験者は、２０歳代、３０歳代、４０歳代、６０歳代のそれぞれを５名、５０歳代を１０とした。
【００９５】
図１４は、検証実験により求めたコントラスト感度における年代別の正答数と空間周波数との関係を示すグラフである。
【００９６】
図１４に示すように、２０歳代の被験者では、空間周波数が大きくなってもさほど正答数は減少していないが、３０歳代および４０歳代では、空間周波数が大きくなるに従い正答数も減少していることが判る。５０歳代および６０歳代に至っては、空間周波数の増加に伴い正答数も大幅に減少していることが判る。
【００９７】
図１５は、検証実験により求めたコントラスト感度における正答数と年代と関係を示すグラフである。図１５は、図１４の結果から年代ごとの正答数を平均化したグラフである。
【００９８】
図１５から、５０歳代、６０歳代で正答数が他の年代よりも大幅に減少していることが判る。これは、５０歳代の初期混濁を含めた白内障有所見率は、３７％〜５４％程度であると言われている。白内障の一例として、空間周波数における高周波領域では、コントラスト感度の低下が起こりやすいと推察できる。
【００９９】
そこで本発明者は、第一モードおよび第二モードを有する照明装置１０を用いて検証実験を行った。
【０１００】
図１６の（ａ）は、検証実験における、第一モードおよび第二モードの各光特性を示す表である。図１６の（ａ）に示すように、第一モードでの相関色温度が約５０００Ｋ、第二モードでの約６２００Ｋとなる照明装置１０を用いた実験結果を示す図である。
【０１０１】
図１６の（ｂ）は、図１６の（ａ）の第一モードおよび第二モードにおける合成光の分光分布を示すグラフである。図１６の（ｃ）は、第一モードおよび第二モードの分光分布に対する、被験者の正答率を示すグラフである。
【０１０２】
被験者は、６０歳から６９歳までの中年期および高年期における男性３０名および女性２３名の総計５３名である。本検証実験では、赤色の色票および緑色の色票により、各色票の彩度差を０．５として、中年期および高年期の被験者における正答率の結果を得た。この結果から、第二モードが第一モードに比べて、色票の赤色および緑色で有意に正答率が高いという結果を得た。この結果から、本実施の形態の一例である第二モードでは、鮮やかに見えるようになった結果、正答率が高まっていることが判った。
【０１０３】
次に、本発明者は、被験者の中年期および高年期の正答数に関する近見視力の検査を行った。図１７は、図１６と同等の条件で検証実験を行っているため、同一の条件については詳細な説明を省略する。
【０１０４】
図１７の（ａ）は、検証実験により求めた近見視力表における視力レベル０．５での第一モードおよび第二モードの正答率を示すグラフである。図１７の（ｂ）は、検証実験に用いた近見視力表（コントラスト６％）を示す図である。図１７の（ｃ）は、各視力レベルでの正答率算出式を示す図である。図１７の（ａ）は、第一モードに対して視力レベル０．５で有意に正答率が高いという結果を得た。この視力レベル０．４〜０．５は新聞の文字が見える視力であり、視力レベル０．５の文字サイズで見やすいということは新聞や書籍の文字が見やすいと判断される。
【０１０５】
以上のことより、第二モードでは、第一モードに比べ、中年期および高年期の被験者に対して色が見えやすくなること、および、文字が見えやすくなることが分かる。
【０１０６】
［作用効果］
次に、本実施の形態における照明装置１０の作用効果について説明する。
【０１０７】
上述したように、本実施の形態に係る照明装置１０は、同一色度範囲内の色度値を有する複数の第一発光素子５１および複数の第二発光素子５２と、複数の第一発光素子５１および複数の第二発光素子５２を個別に制御可能なモード切替部を有する制御回路１２とを備える。また、第一発光素子５１の分光分布は、４２５ｎｍ以上４８０ｎｍ以下の範囲に第一のピーク波長と、５００ｎｍ以上５６０ｎｍ以下の範囲に第二のピーク波長とを含む。さらに、第二発光素子５２の分光分布は、４２５ｎｍ以上４８０ｎｍ以下の範囲に第一のピーク波長と、５００ｎｍ以上５６０ｎｍ以下の範囲に第二のピーク波長と、５８０ｎｍ以上６５０ｎｍ以下の範囲に第三のピーク波長とを含む。また、第一発光素子５１と第二発光素子５２とが発した光の合成光の分光分布は、５００ｎｍ以上５６０ｎｍ以下の範囲の最大値と、５００ｎｍ以上６５０ｎｍ以下の範囲における最小値との比が０．８５以下である。さらに、制御回路１２は、第一発光素子５１を点灯させる第一モードと、第一発光素子５１および第二発光素子５２を点灯させる第二モードとを選択的に実行させる。そして、モード切替部１４は、第一モードと第二モードとを切換える。
【０１０８】
このように、第一発光素子５１と第二発光素子５２とが発した光の合成光の分光分布において、５００ｎｍ以上５６０ｎｍ以下の範囲の最大値と、５００ｎｍ以上６５０ｎｍ以下の範囲における最小値との比が０．８５以下であるため、高齢者の色知覚確率を高めることができる。また、分光分布の異なる第一発光素子５１および第二発光素子５２の２種類の発光素子を用いて、第一モードと第二モードとを切換えることで、高齢者に対応した照明を行うことができる。このため、高齢者に対して文字や観察対象物の色の彩度が低下して見えるのを抑制することが可能となる。
【０１０９】
したがって、高齢者に対して文字や観察対象物の色の彩度が低下して見えることを抑制することができる。
【０１１０】
また、本実施の形態に係る照明装置１０において、合成光の相関色温度は５５００Ｋ以上７１００Ｋ以下である。
【０１１１】
このように、合成光の相関色温度が５７００Ｋ以上７１００Ｋ以下であるため、高齢者にとって文字と色の彩度が低下して見えることをより確実に抑制することができる。
【０１１２】
また、本実施の形態に係る照明装置１０は、さらに、相関色温度が２６００Ｋ以上５５００Ｋ以下となる複数の第三発光素子５３を備える。
【０１１３】
このように、第一発光素子５１および第二発光素子５２における合成光の相関色温度が５５００Ｋ以上７１００Ｋ以下であり、さらに、相関色温度が２６００Ｋ以上５５００Ｋ以下となる第三発光素子５３を備えるため、照明装置１０の調色範囲が広くなる。これにより、この照明装置１０では、電球色から昼光色までの調色を実現することができる。
【０１１４】
また、本実施の形態に係る照明装置１０において、第一発光素子５１は、第二モードで点灯する場合よりも第一モードで点灯する場合の方が明るく点灯する。
【０１１５】
このように、第一発光素子５１が第二モードで点灯する場合よりも、第一発光素子５１が第一モードで点灯する場合の方が明るいため、モードの切換えにより、発光効率および演色性を変化させることで、高齢者に対して文字や観察対象物の色の彩度が低下して見えることをより確実に抑制することができる。
【０１１６】
また、本実施の形態に係る照明装置１０において、第二モードにおける照明装置１０の明るさは、第一モードにおける照明装置１０の明るさの１．１倍以上１．５倍以下となる。
【０１１７】
このように、第二モードにおける照明装置１０の明るさが第一モードにおける照明装置１０の明るさの１．１倍以上１．５倍以下であるため、高齢者のコントラスト感度および照度に対する文字の読みやすさを向上することができる。
【０１１８】
また、本実施の形態に係る照明装置１０において、第二モードにおける照明装置１０が照射する光の平均演色評価指数Ｒａは、８６以上１００以下である。
【０１１９】
このように、照明装置１０が照射する光の平均演色評価指数Ｒａが８６以上１００以下であるため、演色性のよい光を出射することができるため、忠実に色を再現することができる。このため、高齢者に物の色を正しく見せることができる。
【０１２０】
特に、光の平均演色評価指数Ｒａが９０以上であれば、より演色性に優れているため、高齢者に物の色をより正しく見せることができる。
【０１２１】
また、本実施の形態に係る照明装置１０において、第二モードにおける照明装置１０が照射する光の目立ち指数ＦＣＩ（Ｆｅｅｌｉｎｇ  ｏｆ  Ｃｏｎｔｒａｓｔ  Ｉｎｄｅｘ）は、９３以上１２０以下である。
【０１２２】
このように、第二モードにおける照明装置１０が照射する光の目立ち指数ＦＣＩが９３以上１２０以下であるため、高齢者が色の見えによって感じられる明るさ感を確保することができる。
【０１２３】
また、本実施の形態に係る照明装置１０において、第二モードにおける照明装置１０が照射する光において、Ｔｈｅ  ＣＩＥ  １９９７  Ｉｎｔｅｒｉｍ  Ｃｏｌｏｒ  Ａｐｐｅａｒａｎｃｅ  Ｍｏｄｅｌ（Ｓｉｍｐｌｅ  Ｖｅｒｓｉｏｎ）を用いて求められたクロマ値は、２．０以下である。
【０１２４】
このように、第二モードにおける照明装置１０が照射する光のクロマ値が２．０以下であるため、白さ感が高くなり、文字の読みやすさが高められる。
【０１２５】
また、本実施の形態に係る照明装置１０は、さらに、ユーザの年齢又は年代を設定する設定部１３を備える。そして、制御回路１２は、設定部１３で設定されたユーザの年齢又は年代に比例して第二発光素子５２の発光量を高くする。
【０１２６】
このように、ユーザの年齢又は年代に比例して第二発光素子の発光量を高くするため、年齢又は年代が高いほど、文字の読みやすさを高めつつも、物の色をより正しく見せることができる。
【０１２７】
（その他の実施の形態）
以上、実施の形態について説明したが、本発明は、上記実施の形態に限定されるものではない。
【０１２８】
例えば、上記実施の形態では、制御回路が年齢又は年代ごとに適切な第一発光素子と第二発光素子との発光量を実現するために、各年齢又は年代に対応した発光量を実現する第一発光素子と第二発光素子とのそれぞれの電流値を予め記憶していてもよい。例えば、制御回路は、他方の外部信号が入力されると、当該外部信号から年齢を取得し、その年齢又は年代に対応する第一発光素子の電流値と、第二発光素子の電流値とを読み出す。そして、制御回路は、読み出した電流値を基に定電力出力回路を制御することで、入力された年齢又は年代に対応する発光量で第一発光素子と、第二発光素子とを発光させる。これにより、年齢又は年代に対応した発光量で第一発光素子と第二発光素子とを発光させることができるため、如何なる年齢又は年代でも一定の色知覚確率を確保することができる。
【０１２９】
以上、本発明の一つまたは複数の態様について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【符号の説明】
【０１３０】
１０  照明装置
１２  制御回路
１３  設定部
１４  モード切替部
５１  第一発光素子
５２  第二発光素子
５３  第三発光素子
【図１】
2018120755.tif 000003
【図２】
2018120755.tif 000004
【図３】
2018120755.tif 000005
【図４】
2018120755.tif 000006
【図５】
2018120755.tif 000007
【図６】
2018120755.tif 000008
【図７】
2018120755.tif 000009
【図８】
2018120755.tif 000010
【図９】
2018120755.tif 000011
【図１０】
2018120755.tif 000012
【図１１】
2018120755.tif 000013
【図１２】
2018120755.tif 000014
【図１３】
2018120755.tif 000015
【図１４】
2018120755.tif 000016
【図１５】
2018120755.tif 000017
【図１６】
2018120755.tif 000018
【図１７】
2018120755.tif 000019